(57)【要約】【課題】本発明は、テレビジョン電波が弱電界時の場合にも正確に同期信号を分離可能とするテレビジョン信号の同期分離回路を提供する。【解決手段】本発明の同期分離回路は、テレビジョン電波のノイズレベルを検出するノイズ検出回路と、前記ノイズ検出回路の演算結果を制御信号とし、その制御信号によってフィルタの重みを変化させ、最小値レベルを安定させる可変ノイズフィルタと、前記可変ノイズフィルタの出力を入力とする垂直用同期分離回路から構成される。【選択図】図１
2005051676.tif 000002
【特許請求の範囲】
【請求項１】
テレビジョン電波のノイズレベルを検出するノイズ検出回路と、前記ノイズ検出回路から出力される制御信号によってフィルタの特性を変化させ、最小値レベルを安定させる可変ＬＰＦと、前記可変ＬＰＦの出力を入力とする垂直用同期分離回路を備え、弱電界時においても安定した同期分離を可能とする同期分離回路。
【請求項２】
前記垂直用同期分離回路の同期分離レベルのスライス位置が、入力映像信号のペデスタルレベルと最小値レベルの間に設定される請求項１に記載の同期分離回路。
【発明の詳細な説明】
【技術分野】
【０００１】
本発明は、テレビジョン信号の同期分離回路、特に同期信号が安定していない場所で同期可能とするテレビジョン信号の同期分離回路に関するものである。
【背景技術】
【０００２】
近年、テレビジョン受像機においては、テレビジョン信号を検波増幅及び周波数変換することにより映像信号が得られる。この映像信号には同期信号が合成されているが、得られた映像信号にサグが生じた場合や弱電界時には、この映像信号から同期信号を分離できなくなり、テレビジョン映像が縦に流れる、いわゆる同期流れをおこす等の問題点があった。この問題点に関して従来から、そのような場合であっても同期信号を分離することを可能とする手段が考案されている（例えば特許文献１参照）。
【０００３】
以下、図面を参照しながら、上述した従来の同期分離回路の一例について説明を行う。
【０００４】
図５は、従来の同期分離回路のブロック構成図を示すものである。
【０００５】
テレビジョン受像機１は、主に、チューナ部１１、中間周波増幅部１２、音声処理部１３、映像検波部１４、映像処理部１５、同期分離部１６、偏向部１７、スピーカー２１、及びブラウン管２２を備えており、図示しないテレビケースにより覆われている。なお、ブラウン管２２の代わりに液晶ディスプレイやプラズマディスプレイなどを用いても良い。
【０００６】
チューナ部１１は、アンテナ５０で受信されたテレビジョン電波を受けて、高周波増幅すると共に、あるチャンネルの周波数と同調を行い、中間周波数に周波数変換する。中間周波増幅部１２は、チューナ部１１からの信号を増幅すると共に、チューナ部１１にＡＧＣ信号（自動利得制御信号）を送り、チューナ部１１での高周波増幅の利得率を変更させる。音声処理部１３は、中間周波増幅部１２からの信号から音声信号を処理してスピーカー２１に出力する。映像検波部１４は、中間周波増幅部１２からの信号から検波し、同期信号が含まれた映像信号を出力する。映像処理部１５は、映像信号を受けて処理し、ブラウン管２２に送ってテレビジョン映像を映し出す。同期分離部１６は、映像信号を受けて、同期信号を分離して出力する。この同期信号は、水平同期信号と垂直同期信号とである。偏向部１７は、同期分離部１６から出力される同期信号によりブラウン管２２の走査線の走査を制御する。スピーカー２１は、音声処理部１３からの信号を受けて音を出す。ブラウン管２２は、映像処理部１５と偏向部１７との信号により、映像を映し出す。これらにより、テレビジョン受像機１は、映像を映し出すことができる。
【０００７】
以下で、同期分離部１６について説明する。
【０００８】
同期分離部１６は、信号入力部３１、信号分離部３２、同期判定部３３、ＡＧＣ入力部３４、及び制御部３５を有している。信号入力部３１は、映像検波部１４から入力される映像信号を受ける。信号分離部３２は、入力された映像信号から同期信号を分離して偏向部１７に出力する。同期判定部３３は、信号分離部３２で分離された同期信号が同期であるか非同期であるかを判定する。ＡＧＣ入力部３４は、中間周波増幅部１２から出力されるＡＧＣ信号を受ける。制御部３５は、同期判定部３３での判定信号及びＡＧＣ入力部３４で受けられたＡＧＣ信号に基づいて、信号分離部３２の制御を行う。
【０００９】
以上のように構成された同期分離回路について、以下その動作について説明する。
【００１０】
まず、アンテナ５０で受信されたテレビジョン電波の信号は、チューナ部１１により高周波増幅されると共に、あるチャンネルの周波数と同調を行い、中間周波数に周波数変換されて中間周波増幅部１２に送られる。続いて中間周波増幅部１２において増幅されて音声処理部１３及び映像検波部１４に送られる。また、この信号に基づいてチューナ部１１及び同期分離部１６にＡＧＣ信号が送られる。ＡＧＣ信号は、チューナ部１１に送られてチューナ部１１での高周波増幅の利得率を変更させる。音声処理部１３に送られた信号は、音声信号が分離されて処理され、スピーカー２１により音として出力される。映像検波部１４に送られた信号は、検波されて映像信号として映像処理部１５及び同期分離部１６に送られる。映像処理部１５では、映像信号の増幅などの処理がなされる。一方、同期分離部１６に送られた映像信号は、同期信号が分離されて偏向部１７に送られる。映像信号と同期信号はブラウン管２２に送られて、それらを元にしてブラウン管２２に映像が映し出される。
【００１１】
同期分離部１６における同期信号の分離について以下で説明する。
【００１２】
信号分離部３２は、閾値であるスライスレベルを設定し、このスライスレベルにより映像信号から同期信号を分離している。信号分離部３２は、同期信号の分離を適切に行えるように、スライスレベルを変更可能としている。制御部３５では、図２のフローチャートによりスライスレベルの変更を行い、同期信号の同期がとれるように信号分離部３２を制御している。
【００１３】
まず、ステップＳ１では、同期判定部３３からの信号を受けて、同期信号の同期が取れているか否かを判定する。同期が取れていると判定された場合には、現在のスライスレベルで良いと判断して、再びステップＳ１に復帰する。非同期であると判定された場合には、ステップＳ２へ移行する。ステップＳ２では、ＡＧＣ入力部３４からのＡＧＣ信号により、テレビジョン電波の電界強度の強弱を判断する。電界強度が弱電界である場合には、ステップＳ３へ移行する。逆に、電界強度が強電界である場合には、ステップＳ４へ移行する。ステップＳ３では、信号分離部３２のスライスレベルをトップ側に変更する制御を行う。その後ステップＳ１へ復帰して、同期信号の同期が取れたか判定する。ステップＳ４では、信号分離部３２のスライスレベルをペデスタル側に変更する制御を行う。その後ステップＳ１へ復帰して、同期信号の同期が取れたか判定する。
【００１４】
以上に記載した制御部３５の制御により、垂直同期信号及び水平同期信号を安定して同期させている。
【００１５】
テレビジョン受像機１の同期分離部１６では、ＡＧＣ入力部３４から入力されるＡＧＣ信号により電界強度の強弱を得ている。また、同期判定部３３において同期信号の同期及び非同期を判定している。
【００１６】
電界強度が弱電界のもとで非同期になった場合に、ノイズ強度に対して映像信号の同期信号強度が小さくなっていると判断される。このとき、ペデスタル側で分離しているとノイズを同期信号であると誤って分離してしまうおそれがある。このため、誤分離を避けるために、制御部３５は、電界強度が弱電界である場合にスライスレベルをトップ側に変更する。これにより、弱電界のもとで誤分離を行わずに同期した同期信号を分離することができる。
【００１７】
一方、電界強度が強電界のもとで非同期になった場合、映像信号にサグが生じている場合であるとみなし、制御部３５は、スライスレベルをペデスタル側に変更する。これにより、サグが生じている場合にも、より確実に同期した同期信号を分離することができる。スライスレベルを適切に変更することにより、同期信号の同期を取り、ブラウン管２２に映し出される画面を安定して表示することが可能となる。
【特許文献１】実用新案登録第３０８６３３０号公報
【発明の開示】
【発明が解決しようとする課題】
【００１８】
しかしながら上記のような構成では、次のような問題点を有している。電界強度が弱電界である場合に、スライスレベルをトップ側に変更すると、ＳＹＮＣ幅が十分にある入力映像信号なら問題なく同期分離出来るが、ＳＹＮＣ幅の小さい入力映像信号の場合は、トップ側でのノイズが影響し正確な同期分離ができない。
【課題を解決するための手段】
【００１９】
上記問題点を解決するために本発明の同期分離回路は、テレビジョン電波のノイズレベルを検出するノイズ検出回路と、前記ノイズ検出回路から出力される制御信号によってフィルタの特性を変化させ、最小値レベルを安定させる可変ノイズフィルタと、前記可変ノイズフィルタの出力を入力とする垂直用同期分離回路を備えたものである。
【発明の効果】
【００２０】
本発明は、テレビジョン電波のノイズレベルを検出するノイズ検出回路と、前記ノイズ検出回路から出力される制御信号によってフィルタ特性を変化させ、最小値レベルを安定させる可変ＬＰＦと、前記可変ＬＰＦの出力を入力とする垂直用同期分離回路を備える事により、スライスレベルをペデスタル側やトップ側に変更する事なく正確な同期分離が可能となる。
【発明を実施するための最良の形態】
【００２１】
本発明の請求項１に記載の発明はテレビジョン電波のノイズレベルを検出するノイズ検出回路と、前記ノイズ検出回路から出力される制御信号によってフィルタの特性を変化させ、最小値レベルを安定させる可変ノイズフィルタと、前記可変ノイズフィルタの出力を入力とする垂直用同期分離回路を備え、弱電界時においても安定した同期分離を可能とする特徴をもつ同期分離回路であり、同期分離レベルの最小値を安定させる可変ノイズフィルタを用いる事で、弱電界時においても正確な同期分離を可能とする同期分離回路である。
【００２２】
本発明の請求項２に記載の発明は前記垂直用同期分離回路の同期分離レベルのスライス位置が、入力映像信号のペデスタルレベルと最小値レベルの間に設定される請求項１に記載の同期分離回路であり、同期分離レベルの最小値を安定させる可変ノイズフィルタを用いる事で、弱電界時においても正確な同期分離を可能とする作用を有する。
【００２３】
以下、本発明の実施の形態について、図面を参照しながら説明する。
【００２４】
（実施の形態１）
図１は本発明の第１の実施例における同期分離回路のブロック構成図を示すものである。図１において、２は入力映像信号のノイズ量を検出するノイズレベル検出回路であり、１は同期分離レベルを決定する要素の一つである最小値レベルを安定させる可変ＬＰＦであり、３は垂直用同期分離回路で、同期分離レベルを決定する。
【００２５】
以上のように構成された同期分離回路について、以下図２、３を用いてその動作を説明する。
【００２６】
まず、図２においてノイズ検出回路２が入力映像信号のノイズレベルを検出し、その演算結果を制御信号として可変ＬＰＦへ渡す。
【００２７】
可変ＬＰＦの一例として入力映像信号をそれぞれ入力とするＬＰＦ５個と、それぞれのＬＰＦの出力を入力とし、前記ノイズ検出回路の出力である制御信号によって、入力映像信号のノイズレベルにあったフィルタをかける事が出来るセレクタ４から構成された可変ＬＰＦを説明する。この５個のＬＰＦ特性はそれぞれ自由に設定する事が可能であり、同期分離レベルを決定する要素の一つである最小値レベルを安定させる作用を有する。入力映像信号のノイズレベルに応じて制御信号で選択された最も適切なフィルタをかける事が出来るため、これにより安定した同期分離が可能となる。なお、ＬＰＦの数は何個でも構わない。
【００２８】
可変ＬＰＦからの出力は垂直用同期分離回路３に入り、垂直用同期分離回路３が同期分離レベルを決定する。その際、最小値レベルが可変ＬＰＦの作用で安定しているので、同期分離レベルが正確に決まる。図３は垂直用同期分離信号発生の説明、図４は同期分離レベルの決定方法（一例）の説明図である。
【００２９】
以上のように本実施の形態によれば、可変ＬＰＦを用いて最小値レベルを安定させ、かつ同期分離レベルをペデスタルレベルと最小値レベルの間に設定することで、スライスレベルをペデスタル側やトップ側に変更する事なく正確な同期分離が可能となる。
【産業上の利用可能性】
【００３０】
本発明は、スライスレベルをペデスタル側やトップ側に変更する事なく正確な同期分離が可能であり、テレビジョン回路として有用である。
【図面の簡単な説明】
【００３１】
【図１】本発明の実施例における同期分離回路のブロック構成図
【図２】本発明の実施例における可変ＬＰＦの構成の一例を示す図
【図３】垂直用同期分離信号発生図
【図４】同期分離レベルの決定図
【図５】従来の同期分離回路のブロック構成図
【符号の説明】
【００３２】
１    可変ＬＰＦ
２    ノイズ検出回路
３    同期分離レベル検出回路
４    制御セレクタ
１０１    ＬＰＦａ
１０２    ＬＰＦｂ
１０３    ＬＰＦｃ
１０４    ＬＰＦｄ
１０５    ＬＰＦｅ
【図１】
2005051676.tif 000003
【図２】
2005051676.tif 000004
【図３】
2005051676.tif 000005
【図４】
2005051676.tif 000006
【図５】
2005051676.tif 000007